【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
眼鏡用ヘッドアップディスプレイ（ＨＵＤ）システムであって、
第１の側面と該第１の側面に対向する第２の側面とを有する眼鏡レンズ組立体と、
前記眼鏡レンズ組立体の前記第１の側面に搭載された電源モジュールと、
前記眼鏡レンズ組立体の前記第２の側面に搭載された電子モジュールと、
前記電子モジュールの制御下で映像を表示するディスプレイであり、該ディスプレイは、前記眼鏡を着用しているユーザの視界内の位置まで前記電子モジュールから延在しているディスプレイアームに搭載されている、ディスプレイと、
を有するシステム。
【請求項２】
前記ディスプレイアームは、前記ディスプレイの位置の調節を容易にするために１つ以上の自由度において調節可能である、請求項１に記載のシステム。
【請求項３】
前記眼鏡レンズ組立体は、前記第１の側面から前記第２の側面まで１つ以上の電気的導通経路を提供する、請求項１に記載のシステム。
【請求項４】
前記眼鏡レンズ組立体は、前面及び後面上に透明導電性フィルムを有する透明レンズを有する、請求項３に記載のシステム。
【請求項５】
前記眼鏡レンズ組立体は、前記第１の側面から前記第２の側面まで延在しているフレキシブルプリント回路ケーブルを持つ透明レンズを有する、請求項３に記載のシステム。
【請求項６】
前記ディスプレイは、紫外線遮断材料から構成されたディスプレイハウジング内に収納されている、請求項１〜５のいずれか１項に記載のシステム。
【請求項７】
前記ディスプレイアームは、前記ディスプレイの位置を調節するための１つ以上のジョイントをその中に備えている、請求項１に記載のシステム。
【請求項８】
前記ディスプレイアームは、前記ディスプレイを前記眼鏡レンズ組立体に向かって付勢するように構成される、請求項１に記載のシステム。
【請求項９】
前記ディスプレイは、前記ディスプレイアームの末端部に取り付けられているディスプレイハウジングに結合されたディスプレイユニットの一部である、請求項１〜８のいずれか１項に記載のシステム。
【請求項１０】
前記ディスプレイユニットは、前記ディスプレイハウジングに調節可能に結合されている、請求項９に記載のシステム。
【請求項１１】
前記ディスプレイは、前記ディスプレイ及び光学系組立体を有するディスプレイユニットの一部であり、前記ディスプレイユニットは、前記ディスプレイアームの末端部に取り付けられたディスプレイブラケット内に調節可能に受け入れられる、請求項１に記載のシステム。
【請求項１２】
前記光学系組立体は、凸形球面を持つディスプレイレンズを有し、前記ディスプレイブラケットは、前記ディスプレイレンズの前記凸形球面に対応する大きさ及び形状の凹形球面を有する、請求項１１に記載のシステム。
【請求項１３】
前記ディスプレイブラケットは、前記光学系組立体の動きを制限するための１つ以上の制止具をその周囲に有する、請求項１２に記載のシステム。
【請求項１４】
前記光学系組立体は、前記ディスプレイから前記凸形球面へと光の向きを変えるための反射面を有する、請求項１２に記載のシステム。
【請求項１５】
当該システムは、前記ディスプレイブラケット及び前記ディスプレイユニットを覆うように前記ディスプレイアームの末端部に取り付けられたフレキシブル保護カバーを有し、前記フレキシブル保護カバーは、前記眼鏡レンズ組立体に面する開口を有する、請求項１１〜１４のいずれか１項に記載のシステム。
【請求項１６】
当該システムは、前記フレキシブル保護カバーの前記開口の周囲に配されたディスプレイフードを有し、前記ディスプレイフードは、前記眼鏡レンズ組立体に当接するように構成されている、請求項１５に記載のシステム。
【請求項１７】
当該システムは、前記眼鏡レンズ組立体の前記第１及び第２の側面に取り付けられた第１及び第２のモジュールコネクタを有し、前記電源モジュールが前記第１のモジュールコネクタに取り外し可能に取り付け可能であるとともに、前記電子モジュールが前記第２のモジュールコネクタに取り外し可能に取り付け可能である、請求項１〜１６のいずれか１項に記載のシステム。
【請求項１８】
前記眼鏡レンズ組立体は、その前記第１及び第２の側面の各々上に１つ以上の孔を有し、前記第１及び第２のモジュールコネクタは、前記１つ以上の孔と係合するよう構成された１つ以上の突起を有する、請求項１７に記載のシステム。
【請求項１９】
前記眼鏡レンズ組立体は、その前記第１及び第２の側面の各々上に２つの孔または凹部を有し、前記第１及び第２のモジュールコネクタの各々が、前記眼鏡レンズ組立体の外面から前記２つの孔または凹部のうちの一方と係合するよう構成された、内側に面するタブを有する外側突起と、前記眼鏡レンズ組立体の内面から前記２つの孔または凹部のうちの他方と係合するよう構成された、外側に面するタブを有する内側突起とを有する、請求項１７または１８に記載のシステム。
【請求項２０】
前記第１及び第２のモジュールコネクタの各々が、その外面に凹部を有し、前記電源モジュール及び前記電子モジュールの各々が、前記凹部に受け入れられるように構成された内側に延出する柱を有する、請求項１７〜１９のいずれか１項に記載のシステム。
【請求項２１】
前記電源モジュール及び前記電子モジュールの各々が、その内面上にばね付勢されたラッチを有し、前記ラッチは、前記モジュールコネクタとの係合状態へまたは非係合状態へと移動可能であり、且つ前記モジュールコネクタとの係合に向かって付勢されている、請求項１７〜２０のいずれか１項に記載のシステム。
【請求項２２】
眼鏡に搭載するためのヘッドアップディスプレイ（ＨＵＤ）システムであって、
前記眼鏡のレンズ組立体の一側面に取り外し可能に搭載可能な、電力を提供するための電源モジュールと、
前記電源モジュールから電力を受けるように接続可能な電子モジュールであって、前記眼鏡の前記レンズ組立体の反対側の側面に取り外し可能に搭載可能な電子モジュールと、
前記眼鏡を着用しているユーザの視界内の位置まで前記電子モジュールから延在しているディスプレイアームに搭載されたディスプレイと、
を有するＨＵＤシステム。
【請求項２３】
ヘッドアップディスプレイ（ＨＵＤ）システムを受けるように適応された眼鏡であって、その第１の側面からその第２の側面まで１つ以上の電気的導通経路を提供するレンズ組立体を有する眼鏡。
【請求項２４】
ヘッドアップディスプレイ（ＨＵＤ）システムであって、
眼鏡と、
前記眼鏡の第１の側面に取り付け可能であるように構成された電子モジュールと、
前記眼鏡の第２の側面に取り付け可能であるように構成された電源モジュールと、
を有するＨＵＤシステム。
【請求項２５】
前記電子モジュールは、前記眼鏡の前記第１の側面の外側部分に搭載される、請求項２４に記載のＨＵＤシステム。
【請求項２６】
前記電源モジュールは、前記眼鏡の前記第２の側面の外側部分に搭載される、請求項２４に記載のＨＵＤシステム。
【請求項２７】
前記電子モジュールは、外側に面したユーザーインタフェース制御部を含む、請求項２４乃至２６の何れか一項に記載のＨＵＤシステム。
【請求項２８】
前記電子モジュールは、カメラ、スピーカ、及びセンサーのうちの少なくとも１つを含む、請求項２４乃至２６の何れか一項に記載のＨＵＤシステム。
【請求項２９】
前記電子モジュールと無線通信するように構成された遠隔操作装置、を更に含む請求項２４乃至２６の何れか一項に記載のＨＵＤシステム。
【請求項３０】
前記電源モジュールと前記電子モジュールとが前記眼鏡の反対側の側面に取り付けられるように構成される、請求項２４乃至２６の何れか一項に記載のＨＵＤシステム。
【請求項３１】
前記眼鏡はレンズを含み、前記電源モジュールは前記レンズの縁の横に配置される、請求項２４乃至２６の何れか一項に記載のＨＵＤシステム。
【請求項３２】
眼鏡に搭載するためのヘッドアップディスプレイ（ＨＵＤ）システムであって、
前記眼鏡の第１の側面に取り外し可能に取り付けられるように構成された電子モジュールと、
前記眼鏡の第２の側面に取り外し可能に取り付けられるように構成され、且つ前記電子モジュールに電力を供給するように構成された電源モジュールと、
ディスプレイアームによって調節可能に前記電子モジュールに結合されるディスプレイモジュールであり、前記ディスプレイアームは、ディスプレイを視る角度をユーザが変更することを可能にするよう、回転の垂直軸に沿ってディスプレイを回転させるように構成されたジョイントを含む、ディスプレイモジュールと、
を有するＨＵＤシステム。
【請求項３３】
前記電子モジュールは、前記眼鏡の前記第１の側面の外側部分に搭載される、請求項３２に記載のＨＵＤシステム。
【請求項３４】
前記電源モジュールは、前記眼鏡の前記第２の側面の外側部分に搭載される、請求項３２に記載のＨＵＤシステム。
【請求項３５】
前記電子モジュールは、外側に面したユーザーインタフェース制御部を含む、請求項３２乃至３４の何れか一項に記載のＨＵＤシステム。
【請求項３６】
前記電子モジュールは、カメラ、スピーカ、及びセンサーのうちの少なくとも１つを含む、請求項３２乃至３４の何れか一項に記載のＨＵＤシステム。
【請求項３７】
前記電子モジュールと無線通信するように構成された遠隔操作装置、を更に含む請求項３２乃至３４の何れか一項に記載のＨＵＤシステム。
【請求項３８】
前記電源モジュールと前記電子モジュールとが前記眼鏡の反対側の側面に取り付けられるように構成される、請求項３２乃至３４の何れか一項に記載のＨＵＤシステム。
【請求項３９】
前記眼鏡はレンズを含み、前記電源モジュールは前記レンズの縁の横に配置される、請求項３２乃至３４の何れか一項に記載のＨＵＤシステム。
【手続補正２】
【補正対象書類名】明細書
【補正対象項目名】００２１
【補正方法】変更
【補正の内容】
【００２１】
図３、３Ａ及び３Ｂは、一実施形態に係るディスプレイアーム１５０の第１及び第２の自由度における調節機能を示す側面図であり、図４、４Ａ及び４Ｂはその正面図である。ディスプレイアーム１５０は、ディスプレイアーム１５０の第１の区分１５４を電子モジュール１３０に接続する第１のジョイント１５２を備える。第１のジョイント１５２は、ディスプレイアーム１５０が（及び、それによりディスプレイハウジング１６０も）、図３Ａ及び４Ａに示される下方位置と、図３Ｂ及び４Ｂに示される上昇位置との間を移動させられることを可能にする。第１のジョイント１５２はまた、第１の区分１５４が電子モジュール１３０に対して両矢印１５１に示されるように前後に移動することを可能にするように、電子モジュール１３０に摺動可能に結合されてもよい。
【手続補正３】
【補正対象書類名】明細書
【補正対象項目名】００２２
【補正方法】変更
【補正の内容】
【００２２】
図５及び５Ａは、一実施形態に係るディスプレイアーム１５０の第３の自由度における調節機能を示す。第２のジョイント１５６は、ディスプレイハウジング１６０をディスプレイアーム１５０の第１の区分１５４に回動可能に接続する。第２のジョイント１５６は、使用者がディスプレイを見る角度を変更できるように、ディスプレイハウジング１６０の角度が両矢印１５７に示されるように調節されることを可能にする。カメラ１７０を含む実施形態では、カメラ１７０は、カメラ１７０の角度がディスプレイハウジング１６０の角度に依存しないように、いくつかの実施形態において第１の区分１５４上に位置していてもよい。
【手続補正４】
【補正対象書類名】明細書
【補正対象項目名】００２３
【補正方法】変更
【補正の内容】
【００２３】
図６及び６Ａは、一実施形態に係るディスプレイアーム１５０の第４の自由度における調節機能を示す。図６及び６Ａの実施形態では、第１のジョイント１５２はまた、ディスプレイアーム１５０が（及び、それによりディスプレイハウジング１６０も）、両矢印１５９に示されるようにレンズ組立体１１０に対して内方及び外方に回動させられることを可能にする。